(57)【要約】【課題】本発明は野外用のボトルを開示した。【解決手段】ボトル主体を含み、前記ボトル主体の中には上方に開口した貯水チャンバが設置され、前記貯水チャンバの中には吸水機構が設置され、前記吸水機構は前記ボトル主体の下側に位置しているベースを含み、前記貯水チャンバの外端壁の中には下方に開口した弧状溝が設置され、前記貯水チャンバの下端壁の中には環状溝が設置され、前記ベースの上端面の左側には上端が前記弧状溝の中に位置している半円状板が固定的に設置され、本装置は野外の水源から水を取り、しかも水をろ過し、その後自動的に水を加熱して沸騰させることができ、水の中の寄生虫と病菌を取り除き、加熱が完成した後に自動的に加熱を停止して蓋を開け、加熱が完成することを提示し、水を煮過ぎて水分が全部なくなることを防止することができる。【選択図】図１
2020182781.tif 000002
【特許請求の範囲】
【請求項１】
正面視で、ボトル主体を含み、前記ボトル主体の中には上方に開口した貯水チャンバが設置され、前記貯水チャンバの中には吸水機構が設置され、前記吸水機構は前記ボトル主体の下側に位置しているベースを含み、前記貯水チャンバの外端壁の中には下方に開口した弧状溝が設置され、前記貯水チャンバの下端壁の中には環状溝が設置され、前記ベースの上端面の左側には上端が前記弧状溝の中に位置している半円状板が固定的に設置され、前記ベースの上端面には上端が前記環状溝の中に位置している円ロッドが左右対称的に設置され、前記ベースの上端面の中心には上端が前記貯水チャンバの中に位置しているウォームが固定的に設置され、前記貯水チャンバの後端壁のうち前記ウォームを中心とするところには伝動軸が左右対称的に回転できるように設置され、前記伝動軸には前記ウォームと噛み合って伝動するウォームホイールが固定的に設置され、前記ウォームホイールの前側には前記伝動軸と固定的に連結された糸巻き輪が設置され、前記貯水チャンバの下端壁には第一円筒が左右対称的に固定的に設置され、前記第一円筒の中には第一円柱溝が設置され、前記第一円柱溝の中には第二円筒がスライドできるように設置され、前記第二円筒の中には下方に開口した第二円柱溝が設置され、前記第二円柱溝の中には第三円筒がスライドできるように設置され、前記第三円筒の中には下方に開口した第三円柱溝が設置され、前記第三円柱溝の中には頂部ロッドがスライドできるように設置され、二つの前記頂部ロッドの上側には一つの前記頂部ロッドと固定的に連結された密封板が設置され、前記糸巻き輪には前記密封板と連結された昇降ロープが巻き付いており、前記密封板の下端面には下端が前記貯水チャンバの下端壁と固定的に連結された鉛直バネが左右対称的に固定的に設置され、前記吸水機構の右側には伝動機構が設置され、前記伝動機構は前記弧状溝の後端壁の中に位置している運動溝を含み、前記運動溝の中には前端が前記弧状溝の中に位置している運動ブロックがスライドできるように設置され、前記運動ブロックの前端には鉛直プラグが固定的に設置され、前記鉛直プラグの前端面には中心軸が回転できるように設置され、前記中心軸には横ロッドが固定的に設置され、前記弧状溝の上端壁の中には磁性溝が設置され、前記磁性溝の中には鉄ブロックがスライドできるように設置され、前記鉄ブロックと前記横ロッドとが鉛直ロープによって固定的に連結され、しかも、前記ベースを回転させ、前記ウォームと前記ウォームホイールとが噛み合って伝動することによって、前記糸巻き輪を連動させて前記昇降ロープを巻き付け、それによって前記密封板を引き動かして下降させることを特徴とする野外用のボトル。
【請求項２】
前記ボトル主体の上端面には蓋がヒンジで連結され、前記蓋の中にはフィルタエレメントと、磁石と、圧力弁とが嵌められるように設置され、前記圧力弁が前記フィルタエレメントの右側に位置しており、前記磁石が前記圧力弁の右側に位置しており、且つ前記磁石と前記鉄ブロックとの間には吸引力があることを特徴とする請求項１に記載の野外用のボトル。
【請求項３】
前記弧状溝の右端壁には電源箱が固定的に設置され、前記フィルタエレメントの上端壁の右側には電磁石が嵌められるように設置され、前記貯水チャンバの右端壁の中には熱伝導ロッドと電熱ブロックとが嵌められるように設置され、前記電熱ブロックが前記熱伝導ロッドの下側に位置しており、前記電熱ブロックと前記鉛直プラグとが傾斜電線によって通電し、前記弧状溝の後端壁の右側には温度ブロックが固定的に設置され、前記温度ブロックの中には温度溝が設置され、前記熱伝導ロッドの右端が前記温度溝の中に位置しており、前記温度溝の中にはピストンがスライドできるように設置され、前記ピストンの右端面には右端が前記温度溝の右端壁と固定的に連結されたピストンバネが上下対称的に固定的に設置され、前記ピストンの右端面の中心には右端が前記弧状溝の中に位置している横向きプラグが固定的に設置され、前記横向きプラグと前記電磁石とが鉛直電線によって通電し、しかも、前記熱伝導ロッドの温度が上がった後に前記温度溝の中の気体を膨張させることができ、前記横向きプラグを推し動かして前記電源箱の中に挿し込み、前記鉛直電線の伝導によって前記電磁石が通電して磁力を生ずることを特徴とする請求項１に記載の野外用のボトル。
【発明の詳細な説明】
【技術分野】
【０００１】
本発明はボトル分野に関わり、具体的には野外用のボトルである。
【背景技術】
【０００２】
野外で、水源がきれいではないことで、十分の水源を獲得することができなくて野外への旅に困難であり、しかし、既存のボトルは野外で水を取るのに簡単ですが、水の中には寄生虫と細菌が繁殖しやすく、使用者の体に危害をもたらす。
【先行技術文献】
【特許文献】
【０００３】
【特許文献１】中国特許出願公開第１０８７０３６０７号明細書
【発明の概要】
【発明が解決しようとする課題】
【０００４】
本発明は野外用のボトルを提供し、上記背景技術に提出された問題を解決することを目的とする。
【課題を解決するための手段】
【０００５】
上記の目的を実現するため、本発明は以下の技術プランを提供する：野外用のボトルはボトル主体を含み、前記ボトル主体の中には上方に開口した貯水チャンバが設置され、前記貯水チャンバの中には吸水機構が設置され、前記吸水機構は前記ボトル主体の下側に位置しているベースを含み、前記貯水チャンバの外端壁の中には下方に開口した弧状溝が設置され、前記貯水チャンバの下端壁の中には環状溝が設置され、前記ベースの上端面の左側には上端が前記弧状溝の中に位置している半円状板が固定的に設置され、前記ベースの上端面には上端が前記環状溝の中に位置している円ロッドが左右対称的に設置され、前記ベースの上端面の中心には上端が前記貯水チャンバの中に位置しているウォームが固定的に設置され、前記貯水チャンバの後端壁のうち前記ウォームを中心とするところには伝動軸が左右対称的に回転できるように設置され、前記伝動軸には前記ウォームと噛み合って伝動するウォームホイールが固定的に設置され、前記ウォームホイールの前側には前記伝動軸と固定的に連結された糸巻き輪が設置され、前記貯水チャンバの下端壁には第一円筒が左右対称的に固定的に設置され、前記第一円筒の中には第一円柱溝が設置され、前記第一円柱溝の中には第二円筒がスライドできるように設置され、前記第二円筒の中には下方に開口した第二円柱溝が設置され、前記第二円柱溝の中には第三円筒がスライドできるように設置され、前記第三円筒の中には下方に開口した第三円柱溝が設置され、前記第三円柱溝の中には頂部ロッドがスライドできるように設置され、二つの前記頂部ロッドの上側には一つの前記頂部ロッドと固定的に連結された密封板が設置され、前記糸巻き輪には前記密封板と連結された昇降ロープが巻き付いており、前記密封板の下端面には下端が前記貯水チャンバの下端壁と固定的に連結された鉛直バネが左右対称的に固定的に設置され、前記吸水機構の右側には伝動機構が設置され、前記伝動機構は前記弧状溝の後端壁の中に位置している運動溝を含み、前記運動溝の中には前端が前記弧状溝の中に位置している運動ブロックがスライドできるように設置され、前記運動ブロックの前端には鉛直プラグが固定的に設置され、前記鉛直プラグの前端面には中心軸が回転できるように設置され、前記中心軸には横ロッドが固定的に設置され、前記弧状溝の上端壁の中には磁性溝が設置され、前記磁性溝の中には鉄ブロックがスライドできるように設置され、前記鉄ブロックと前記横ロッドとが鉛直ロープによって固定的に連結され、しかも、前記ベースを回転させ、前記ウォームと前記ウォームホイールとが噛み合って伝動することによって、前記糸巻き輪を連動させて前記昇降ロープを巻き付け、それによって前記密封板を引き動かして下降させる。
【０００６】
好ましくは、前記ボトル主体の上端面には蓋がヒンジで連結され、前記蓋の中にはフィルタエレメントと、磁石と、圧力弁とが嵌められるように設置され、前記圧力弁が前記フィルタエレメントの右側に位置しており、前記磁石が前記圧力弁の右側に位置しており、且つ前記磁石と前記鉄ブロックとの間には吸引力がある。
【０００７】
好ましくは、前記弧状溝の右端壁には電源箱が固定的に設置され、前記フィルタエレメントの上端壁の右側には電磁石が嵌められるように設置され、前記貯水チャンバの右端壁の中には熱伝導ロッドと電熱ブロックとが嵌められるように設置され、前記電熱ブロックが前記熱伝導ロッドの下側に位置しており、前記電熱ブロックと前記鉛直プラグとが傾斜電線によって通電し、前記弧状溝の後端壁の右側には温度ブロックが固定的に設置され、前記温度ブロックの中には温度溝が設置され、前記熱伝導ロッドの右端が前記温度溝の中に位置しており、前記温度溝の中にはピストンがスライドできるように設置され、前記ピストンの右端面には右端が前記温度溝の右端壁と固定的に連結されたピストンバネが上下対称的に固定的に設置され、前記ピストンの右端面の中心には右端が前記弧状溝の中に位置している横向きプラグが固定的に設置され、前記横向きプラグと前記電磁石とが鉛直電線によって通電し、しかも、前記熱伝導ロッドの温度が上がった後に前記温度溝の中の気体を膨張させることができ、前記横向きプラグを推し動かして前記電源箱の中に挿し込み、前記鉛直電線の伝導によって前記電磁石が通電して磁力を生ずる。
【発明の効果】
【０００８】
以上により、本発明の有益な効果は：本装置は野外の水源から水を取り、しかも水をろ過し、その後自動的に水を加熱して沸騰させることができ、水の中の寄生虫と病菌を取り除き、加熱が完成した後に自動的に加熱を停止して蓋を開け、加熱が完成することを提示し、水を煮過ぎて水分が全部なくなることを防止することができる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の野外用のボトルの全体全断面の正面構成概略図
【図２】図２は図１の中のＡのところの拡大構成概略図
【図３】図３は図１の中のＢのところの拡大構成概略図
【図４】図４は図１の中のＣ―Ｃのところの拡大構成概略図
【図５】図５は図１の中のＤ―Ｄのところの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜５を参照し、本発明の実施例は：野外用のボトルであり、野外用のボトルはボトル主体１０を含み、前記ボトル主体１０の中には上方に開口した貯水チャンバ１１が設置され、前記貯水チャンバ１１の中には吸水機構７０が設置され、前記吸水機構７０は前記ボトル主体１０の下側に位置しているベース３８を含み、前記貯水チャンバ１１の外端壁の中には下方に開口した弧状溝４１が設置され、前記貯水チャンバ１１の下端壁の中には環状溝３０が設置され、前記ベース３８の上端面の左側には上端が前記弧状溝４１の中に位置している半円状板３９が固定的に設置され、前記ベース３８の上端面には上端が前記環状溝３０の中に位置している円ロッド３６が左右対称的に設置され、前記ベース３８の上端面の中心には上端が前記貯水チャンバ１１の中に位置しているウォーム３１が固定的に設置され、前記貯水チャンバ１１の後端壁のうち前記ウォーム３１を中心とするところには伝動軸３４が左右対称的に回転できるように設置され、前記伝動軸３４には前記ウォーム３１と噛み合って伝動するウォームホイール３２が固定的に設置され、前記ウォームホイール３２の前側には前記伝動軸３４と固定的に連結された糸巻き輪３３が設置され、前記貯水チャンバ１１の下端壁には第一円筒３７が左右対称的に固定的に設置され、前記第一円筒３７の中には第一円柱溝３５が設置され、前記第一円柱溝３５の中には第二円筒４２がスライドできるように設置され、前記第二円筒４２の中には下方に開口した第二円柱溝４０が設置され、前記第二円柱溝４０の中には第三円筒４４がスライドできるように設置され、前記第三円筒４４の中には下方に開口した第三円柱溝４３が設置され、前記第三円柱溝４３の中には頂部ロッド４６がスライドできるように設置され、二つの前記頂部ロッド４６の上側には一つの前記頂部ロッド４６と固定的に連結された密封板１３が設置され、前記糸巻き輪３３には前記密封板１３と連結された昇降ロープ１５が巻き付いており、前記密封板１３の下端面には下端が前記貯水チャンバ１１の下端壁と固定的に連結された鉛直バネ４５が左右対称的に固定的に設置され、前記吸水機構７０の右側には伝動機構７１が設置され、前記伝動機構７１は前記弧状溝４１の後端壁の中に位置している運動溝５１を含み、前記運動溝５１の中には前端が前記弧状溝４１の中に位置している運動ブロック５２がスライドできるように設置され、前記運動ブロック５２の前端には鉛直プラグ４７が固定的に設置され、前記鉛直プラグ４７の前端面には中心軸４８が回転できるように設置され、前記中心軸４８には横ロッド４９が固定的に設置され、前記弧状溝４１の上端壁の中には磁性溝２１が設置され、前記磁性溝２１の中には鉄ブロック２０がスライドできるように設置され、前記鉄ブロック２０と前記横ロッド４９とが鉛直ロープ５０によって固定的に連結され、しかも、前記ベース３８を回転させ、前記ウォーム３１と前記ウォームホイール３２とが噛み合って伝動することによって、前記糸巻き輪３３を連動させて前記昇降ロープ１５を巻き付け、それによって前記密封板１３を引き動かして下降させる。
【００１３】
有益なように、前記ボトル主体１０の上端面には蓋１２がヒンジで連結され、前記蓋１２の中にはフィルタエレメント１４と、磁石１８と、圧力弁１６とが嵌められるように設置され、前記圧力弁１６が前記フィルタエレメント１４の右側に位置しており、前記磁石１８が前記圧力弁１６の右側に位置しており、且つ前記磁石１８と前記鉄ブロック２０との間には吸引力がある。
【００１４】
有益なように、前記弧状溝４１の右端壁には電源箱２５が固定的に設置され、前記フィルタエレメント１４の上端壁の右側には電磁石２３が嵌められるように設置され、前記貯水チャンバ１１の右端壁の中には熱伝導ロッド１７と電熱ブロック２４とが嵌められるように設置され、前記電熱ブロック２４が前記熱伝導ロッド１７の下側に位置しており、前記電熱ブロック２４と前記鉛直プラグ４７とが傾斜電線２８によって通電し、前記弧状溝４１の後端壁の右側には温度ブロック５６が固定的に設置され、前記温度ブロック５６の中には温度溝５５が設置され、前記熱伝導ロッド１７の右端が前記温度溝５５の中に位置しており、前記温度溝５５の中にはピストン５４がスライドできるように設置され、前記ピストン５４の右端面には右端が前記温度溝５５の右端壁と固定的に連結されたピストンバネ５３が上下対称的に固定的に設置され、前記ピストン５４の右端面の中心には右端が前記弧状溝４１の中に位置している横向きプラグ５８が固定的に設置され、前記横向きプラグ５８と前記電磁石２３とが鉛直電線５７によって通電し、しかも、前記熱伝導ロッド１７の温度が上がった後に前記温度溝５５の中の気体を膨張させることができ、前記横向きプラグ５８を推し動かして前記電源箱２５の中に挿し込み、前記鉛直電線５７の伝導によって前記電磁石２３が通電して磁力を生ずる。
【００１５】
以下、出願人は附図１〜５及び上記本出願の野外用のボトルの具体的な構成を参考して本出願の野外用のボトルの使用方法を詳しく紹介する：
【００１６】
装置の上端を野外の水源の中に挿入し、ベース３８を回転させ、ウォーム３１を回転連動させ、ウォーム３１とウォームホイール３２とが噛み合って伝動することによって、糸巻き輪３３を連動させて昇降ロープ１５を巻き付け、それによって密封板１３を引き動かして下降させ、フィルタエレメント１４によって水を貯水チャンバ１１の中に吸い込み、フィルタエレメント１４は水をろ過する作用を果たし、半円状板３９がベース３８とともに一番右側まで回転した時、吸水が停止し、横ロッド４９の右側を推し動かし、磁石１８が鉄ブロック２０を吸引して上昇させ、横ロッド４９の左側を引き動かし、それによって横ロッド４９を引き動かして上昇させ、鉛直プラグ４７を連動させて電源箱２５の中に挿し込み、装置を鉛直にして地面に置き、電源箱２５を始動し、傾斜電源２８の伝導によって、電熱ブロック２４が通電して貯水チャンバ１１の中の水を加熱する。
【００１７】
圧力が一定の程度に達した時、蒸気が圧力弁１６の中に排出され、熱伝導ロッド１７が貯水チャンバ１１の中の温度を検査測定し、温度が設定された値に達した時、温度溝５５の中の気体が膨張し、横向きプラグ５８を推し動かして電源箱２５の中に挿し込み、鉛直電線５７の伝導によって電磁石２３が通電して磁力を生ず、鉄ブロックを吸引して下降させ、蓋１２が蒸気の作用の下で押し出され、横ロッド４９が回転し、それによって鉛直プラグ４７が電源箱２５から離脱し、電熱ブロック２４が停電し、それは水の加熱が完成したことを意味する。
【００１８】
本発明の有益な効果は：本装置は野外の水源から水を取り、しかも水をろ過し、その後自動的に水を加熱して沸騰させることができ、水の中の寄生虫と病菌を取り除き、加熱が完成した後に自動的に加熱を停止して蓋を開け、加熱が完成することを提示し、水を煮過ぎて水分が全部なくなることを防止することができる。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020182781.tif 000003
【図２】
2020182781.tif 000004
【図３】
2020182781.tif 000005
【図４】
2020182781.tif 000006
【図５】
2020182781.tif 000007
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
正面視で、ボトル主体を含み、前記ボトル主体の中には上方に開口した貯水チャンバが設置され、前記貯水チャンバの中には吸水機構が設置され、前記吸水機構は前記ボトル主体の下側に位置しているベースを含み、前記貯水チャンバの外端壁の中には下方に開口した弧状溝が設置され、前記貯水チャンバの下端壁の中には環状溝が設置され、前記ベースの上端面の左側には上端が前記弧状溝の中に位置している半円状板が固定的に設置され、前記ベースの上端面には上端が前記環状溝の中に位置している円ロッドが左右対称的に設置され、前記ベースの上端面の中心には上端が前記貯水チャンバの中に位置しているウォームが固定的に設置され、前記貯水チャンバの後端壁のうち前記ウォームを中心とするところには伝動軸が左右対称的に回転できるように設置され、前記伝動軸には前記ウォームと噛み合って伝動するウォームホイールが固定的に設置され、前記ウォームホイールの前側には前記伝動軸と固定的に連結された糸巻き輪が設置され、前記貯水チャンバの下端壁には第一円筒が左右対称的に固定的に設置され、前記第一円筒の中には第一円柱溝が設置され、前記第一円柱溝の中には第二円筒がスライドできるように設置され、前記第二円筒の中には下方に開口した第二円柱溝が設置され、前記第二円柱溝の中には第三円筒がスライドできるように設置され、前記第三円筒の中には下方に開口した第三円柱溝が設置され、前記第三円柱溝の中には頂部ロッドがスライドできるように設置され、二つの前記頂部ロッドの上側には一つの前記頂部ロッドと固定的に連結された密封板が設置され、前記糸巻き輪には前記密封板と連結された昇降ロープが巻き付いており、前記密封板の下端面には下端が前記貯水チャンバの下端壁と固定的に連結された鉛直バネが左右対称的に固定的に設置され、前記吸水機構の右側には伝動機構が設置され、前記伝動機構は前記弧状溝の後端壁の中に位置している運動溝を含み、前記運動溝の中には前端が前記弧状溝の中に位置している運動ブロックがスライドできるように設置され、前記運動ブロックの前端には鉛直プラグが固定的に設置され、前記鉛直プラグの前端面には中心軸が回転できるように設置され、前記中心軸には横ロッドが固定的に設置され、前記弧状溝の上端壁の中には磁性溝が設置され、前記磁性溝の中には鉄ブロックがスライドできるように設置され、前記鉄ブロックと前記横ロッドとが鉛直ロープによって固定的に連結され、しかも、前記ベースを回転させ、前記ウォームと前記ウォームホイールとが噛み合って伝動することによって、前記糸巻き輪を連動させて前記昇降ロープを巻き付け、それによって前記密封板を引き動かして下降させることを特徴とする野外用のボトル。
【請求項２】
前記ボトル主体の上端面には蓋がヒンジで連結され、前記蓋の中にはフィルタエレメントと、磁石と、圧力弁とが嵌められるように設置され、前記圧力弁が前記フィルタエレメントの右側に位置しており、前記磁石が前記圧力弁の右側に位置しており、且つ前記磁石と前記鉄ブロックとの間には吸引力があることを特徴とする請求項１に記載の野外用のボトル。
【請求項３】
前記弧状溝の右端壁には電源箱が固定的に設置され、前記弧状溝の上端壁の右側には電磁石が嵌められるように設置され、前記貯水チャンバの右端壁の中には熱伝導ロッドと電熱ブロックとが嵌められるように設置され、前記電熱ブロックが前記熱伝導ロッドの下側に位置しており、前記電熱ブロックと前記鉛直プラグとが傾斜電線によって通電し、前記弧状溝の後端壁の右側には温度ブロックが固定的に設置され、前記温度ブロックの中には温度溝が設置され、前記熱伝導ロッドの右端が前記温度溝の中に位置しており、前記温度溝の中にはピストンがスライドできるように設置され、前記ピストンの右端面には右端が前記温度溝の右端壁と固定的に連結されたピストンバネが上下対称的に固定的に設置され、前記ピストンの右端面の中心には右端が前記弧状溝の中に位置している横向きプラグが固定的に設置され、前記横向きプラグと前記電磁石とが鉛直電線によって通電し、しかも、前記熱伝導ロッドの温度が上がった後に前記温度溝の中の気体を膨張させることができ、前記横向きプラグを推し動かして前記電源箱の中に挿し込み、前記鉛直電線の伝導によって前記電磁石が通電して磁力を生ずることを特徴とする請求項１に記載の野外用のボトル。
【手続補正２】
【補正対象書類名】明細書
【補正対象項目名】全文
【補正方法】変更
【補正の内容】
【発明の詳細な説明】
【技術分野】
【０００１】
本発明はボトル分野に関わり、具体的には野外用のボトルである。
【背景技術】
【０００２】
野外で、水源がきれいではないことで、十分の水源を獲得することができなくて野外への旅に困難であり、しかし、既存のボトルは野外で水を取るのに簡単ですが、水の中には寄生虫と細菌が繁殖しやすく、使用者の体に危害をもたらす。
【先行技術文献】
【特許文献】
【０００３】
【特許文献１】中国特許出願公開第１０８７０３６０７号明細書
【発明の概要】
【発明が解決しようとする課題】
【０００４】
本発明は野外用のボトルを提供し、上記背景技術に提出された問題を解決することを目的とする。
【課題を解決するための手段】
【０００５】
上記の目的を実現するため、本発明は以下の技術プランを提供する：野外用のボトルはボトル主体を含み、前記ボトル主体の中には上方に開口した貯水チャンバが設置され、前記貯水チャンバの中には吸水機構が設置され、前記吸水機構は前記ボトル主体の下側に位置しているベースを含み、前記貯水チャンバの外端壁の中には下方に開口した弧状溝が設置され、前記貯水チャンバの下端壁の中には環状溝が設置され、前記ベースの上端面の左側には上端が前記弧状溝の中に位置している半円状板が固定的に設置され、前記ベースの上端面には上端が前記環状溝の中に位置している円ロッドが左右対称的に設置され、前記ベースの上端面の中心には上端が前記貯水チャンバの中に位置しているウォームが固定的に設置され、前記貯水チャンバの後端壁のうち前記ウォームを中心とするところには伝動軸が左右対称的に回転できるように設置され、前記伝動軸には前記ウォームと噛み合って伝動するウォームホイールが固定的に設置され、前記ウォームホイールの前側には前記伝動軸と固定的に連結された糸巻き輪が設置され、前記貯水チャンバの下端壁には第一円筒が左右対称的に固定的に設置され、前記第一円筒の中には第一円柱溝が設置され、前記第一円柱溝の中には第二円筒がスライドできるように設置され、前記第二円筒の中には下方に開口した第二円柱溝が設置され、前記第二円柱溝の中には第三円筒がスライドできるように設置され、前記第三円筒の中には下方に開口した第三円柱溝が設置され、前記第三円柱溝の中には頂部ロッドがスライドできるように設置され、二つの前記頂部ロッドの上側には一つの前記頂部ロッドと固定的に連結された密封板が設置され、前記糸巻き輪には前記密封板と連結された昇降ロープが巻き付いており、前記密封板の下端面には下端が前記貯水チャンバの下端壁と固定的に連結された鉛直バネが左右対称的に固定的に設置され、前記吸水機構の右側には伝動機構が設置され、前記伝動機構は前記弧状溝の後端壁の中に位置している運動溝を含み、前記運動溝の中には前端が前記弧状溝の中に位置している運動ブロックがスライドできるように設置され、前記運動ブロックの前端には鉛直プラグが固定的に設置され、前記鉛直プラグの前端面には中心軸が回転できるように設置され、前記中心軸には横ロッドが固定的に設置され、前記弧状溝の上端壁の中には磁性溝が設置され、前記磁性溝の中には鉄ブロックがスライドできるように設置され、前記鉄ブロックと前記横ロッドとが鉛直ロープによって固定的に連結され、しかも、前記ベースを回転させ、前記ウォームと前記ウォームホイールとが噛み合って伝動することによって、前記糸巻き輪を連動させて前記昇降ロープを巻き付け、それによって前記密封板を引き動かして下降させる。
【０００６】
好ましくは、前記ボトル主体の上端面には蓋がヒンジで連結され、前記蓋の中にはフィルタエレメントと、磁石と、圧力弁とが嵌められるように設置され、前記圧力弁が前記フィルタエレメントの右側に位置しており、前記磁石が前記圧力弁の右側に位置しており、且つ前記磁石と前記鉄ブロックとの間には吸引力がある。
【０００７】
好ましくは、前記弧状溝の右端壁には電源箱が固定的に設置され、前記弧状溝の上端壁の右側には電磁石が嵌められるように設置され、前記貯水チャンバの右端壁の中には熱伝導ロッドと電熱ブロックとが嵌められるように設置され、前記電熱ブロックが前記熱伝導ロッドの下側に位置しており、前記電熱ブロックと前記鉛直プラグとが傾斜電線によって通電し、前記弧状溝の後端壁の右側には温度ブロックが固定的に設置され、前記温度ブロックの中には温度溝が設置され、前記熱伝導ロッドの右端が前記温度溝の中に位置しており、前記温度溝の中にはピストンがスライドできるように設置され、前記ピストンの右端面には右端が前記温度溝の右端壁と固定的に連結されたピストンバネが上下対称的に固定的に設置され、前記ピストンの右端面の中心には右端が前記弧状溝の中に位置している横向きプラグが固定的に設置され、前記横向きプラグと前記電磁石とが鉛直電線によって通電し、しかも、前記熱伝導ロッドの温度が上がった後に前記温度溝の中の気体を膨張させることができ、前記横向きプラグを推し動かして前記電源箱の中に挿し込み、前記鉛直電線の伝導によって前記電磁石が通電して磁力を生ずる。
【発明の効果】
【０００８】
以上により、本発明の有益な効果は：本装置は野外の水源から水を取り、しかも水をろ過し、その後自動的に水を加熱して沸騰させることができ、水の中の寄生虫と病菌を取り除き、加熱が完成した後に自動的に加熱を停止して蓋を開け、加熱が完成することを提示し、水を煮過ぎて水分が全部なくなることを防止することができる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の野外用のボトルの全体全断面の正面構成概略図
【図２】図２は図１の中のＡのところの拡大構成概略図
【図３】図３は図１の中のＢのところの拡大構成概略図
【図４】図４は図１の中のＣ―Ｃのところの拡大構成概略図
【図５】図５は図１の中のＤ―Ｄのところの拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜５を参照し、本発明の実施例は：野外用のボトルであり、野外用のボトルはボトル主体１０を含み、前記ボトル主体１０の中には上方に開口した貯水チャンバ１１が設置され、前記貯水チャンバ１１の中には吸水機構７０が設置され、前記吸水機構７０は前記ボトル主体１０の下側に位置しているベース３８を含み、前記貯水チャンバ１１の外端壁の中には下方に開口した弧状溝４１が設置され、前記貯水チャンバ１１の下端壁の中には環状溝３０が設置され、前記ベース３８の上端面の左側には上端が前記弧状溝４１の中に位置している半円状板３９が固定的に設置され、前記ベース３８の上端面には上端が前記環状溝３０の中に位置している円ロッド３６が左右対称的に設置され、前記ベース３８の上端面の中心には上端が前記貯水チャンバ１１の中に位置しているウォーム３１が固定的に設置され、前記貯水チャンバ１１の後端壁のうち前記ウォーム３１を中心とするところには伝動軸３４が左右対称的に回転できるように設置され、前記伝動軸３４には前記ウォーム３１と噛み合って伝動するウォームホイール３２が固定的に設置され、前記ウォームホイール３２の前側には前記伝動軸３４と固定的に連結された糸巻き輪３３が設置され、前記貯水チャンバ１１の下端壁には第一円筒３７が左右対称的に固定的に設置され、前記第一円筒３７の中には第一円柱溝３５が設置され、前記第一円柱溝３５の中には第二円筒４２がスライドできるように設置され、前記第二円筒４２の中には下方に開口した第二円柱溝４０が設置され、前記第二円柱溝４０の中には第三円筒４４がスライドできるように設置され、前記第三円筒４４の中には下方に開口した第三円柱溝４３が設置され、前記第三円柱溝４３の中には頂部ロッド４６がスライドできるように設置され、二つの前記頂部ロッド４６の上側には一つの前記頂部ロッド４６と固定的に連結された密封板１３が設置され、前記糸巻き輪３３には前記密封板１３と連結された昇降ロープ１５が巻き付いており、前記密封板１３の下端面には下端が前記貯水チャンバ１１の下端壁と固定的に連結された鉛直バネ４５が左右対称的に固定的に設置され、前記吸水機構７０の右側には伝動機構７１が設置され、前記伝動機構７１は前記弧状溝４１の後端壁の中に位置している運動溝５１を含み、前記運動溝５１の中には前端が前記弧状溝４１の中に位置している運動ブロック５２がスライドできるように設置され、前記運動ブロック５２の前端には鉛直プラグ４７が固定的に設置され、前記鉛直プラグ４７の前端面には中心軸４８が回転できるように設置され、前記中心軸４８には横ロッド４９が固定的に設置され、前記弧状溝４１の上端壁の中には磁性溝２１が設置され、前記磁性溝２１の中には鉄ブロック２０がスライドできるように設置され、前記鉄ブロック２０と前記横ロッド４９とが鉛直ロープ５０によって固定的に連結され、しかも、前記ベース３８を回転させ、前記ウォーム３１と前記ウォームホイール３２とが噛み合って伝動することによって、前記糸巻き輪３３を連動させて前記昇降ロープ１５を巻き付け、それによって前記密封板１３を引き動かして下降させる。
【００１３】
有益なように、前記ボトル主体１０の上端面には蓋１２がヒンジで連結され、前記蓋１２の中にはフィルタエレメント１４と、磁石１８と、圧力弁１６とが嵌められるように設置され、前記圧力弁１６が前記フィルタエレメント１４の右側に位置しており、前記磁石１８が前記圧力弁１６の右側に位置しており、且つ前記磁石１８と前記鉄ブロック２０との間には吸引力がある。
【００１４】
有益なように、前記弧状溝４１の右端壁には電源箱２５が固定的に設置され、前記弧状溝４１の上端壁の右側には電磁石２３が嵌められるように設置され、前記貯水チャンバ１１の右端壁の中には熱伝導ロッド１７と電熱ブロック２４とが嵌められるように設置され、前記電熱ブロック２４が前記熱伝導ロッド１７の下側に位置しており、前記電熱ブロック２４と前記鉛直プラグ４７とが傾斜電線２８によって通電し、前記弧状溝４１の後端壁の右側には温度ブロック５６が固定的に設置され、前記温度ブロック５６の中には温度溝５５が設置され、前記熱伝導ロッド１７の右端が前記温度溝５５の中に位置しており、前記温度溝５５の中にはピストン５４がスライドできるように設置され、前記ピストン５４の右端面には右端が前記温度溝５５の右端壁と固定的に連結されたピストンバネ５３が上下対称的に固定的に設置され、前記ピストン５４の右端面の中心には右端が前記弧状溝４１の中に位置している横向きプラグ５８が固定的に設置され、前記横向きプラグ５８と前記電磁石２３とが鉛直電線５７によって通電し、しかも、前記熱伝導ロッド１７の温度が上がった後に前記温度溝５５の中の気体を膨張させることができ、前記横向きプラグ５８を推し動かして前記電源箱２５の中に挿し込み、前記鉛直電線５７の伝導によって前記電磁石２３が通電して磁力を生ずる。
【００１５】
以下、出願人は附図１〜５及び上記本出願の野外用のボトルの具体的な構成を参考して本出願の野外用のボトルの使用方法を詳しく紹介する：
【００１６】
装置の上端を野外の水源の中に挿入し、ベース３８を回転させ、ウォーム３１を回転連動させ、ウォーム３１とウォームホイール３２とが噛み合って伝動することによって、糸巻き輪３３を連動させて昇降ロープ１５を巻き付け、それによって密封板１３を引き動かして下降させ、フィルタエレメント１４によって水を貯水チャンバ１１の中に吸い込み、フィルタエレメント１４は水をろ過する作用を果たし、半円状板３９がベース３８とともに一番右側まで回転した時、吸水が停止し、横ロッド４９の右側を推し動かし、磁石１８が鉄ブロック２０を吸引して上昇させ、横ロッド４９の左側を引き動かし、それによって横ロッド４９を引き動かして上昇させ、鉛直プラグ４７を連動させて電源箱２５の中に挿し込み、装置を鉛直にして地面に置き、電源箱２５を始動し、傾斜電源２８の伝導によって、電熱ブロック２４が通電して貯水チャンバ１１の中の水を加熱する。
【００１７】
圧力が一定の程度に達した時、蒸気が圧力弁１６の中に排出され、熱伝導ロッド１７が貯水チャンバ１１の中の温度を検査測定し、温度が設定された値に達した時、温度溝５５の中の気体が膨張し、横向きプラグ５８を推し動かして電源箱２５の中に挿し込み、鉛直電線５７の伝導によって電磁石２３が通電して磁力を生ず、鉄ブロックを吸引して下降させ、蓋１２が蒸気の作用の下で押し出され、横ロッド４９が回転し、それによって鉛直プラグ４７が電源箱２５から離脱し、電熱ブロック２４が停電し、それは水の加熱が完成したことを意味する。
【００１８】
本発明の有益な効果は：本装置は野外の水源から水を取り、しかも水をろ過し、その後自動的に水を加熱して沸騰させることができ、水の中の寄生虫と病菌を取り除き、加熱が完成した後に自動的に加熱を停止して蓋を開け、加熱が完成することを提示し、水を煮過ぎて水分が全部なくなることを防止することができる。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。